(57)【特許請求の範囲】
【請求項１】
天秤と針棒の先端に固定される縫い針との間の上糸経路に配置され、ミシンカバーで構成される上糸掛け経路に糸掛けされる上糸が進入して通過可能な対向する二面を有するスリット状のＵ溝が形成される糸案内体と、前記Ｕ溝の対向する面の一方に着脱可能に装着される毛状繊維体であって、この毛状繊維体の毛先が前記Ｕ溝の他方の面と直交する方向に整列される毛状繊維体とを備えるミシンの上糸揺動防止装置において、
前記上糸掛け経路に上糸の糸掛け作業を行う際、前記毛状繊維体の毛先と前記Ｕ溝の他方の面との両者間に上糸が進入するか、又は糸掛け作業の仕方によって前記両者間に上糸が進入しない場合には前記天秤の上昇による上糸引き締め時に前記両者間に上糸が進入するように、前記毛状繊維体の毛先が前記Ｕ溝の他方の面に微少量接触又は微少量離間するように配設されることを特徴とするミシンの上糸揺動防止装置。
【請求項２】
前記糸案内体は、前記針棒を左右移動可能に支持する針棒台又は前記針棒下端部の針抱きに設けられることを特徴とする請求項１記載のミシンの上糸揺動防止装置。
【発明の詳細な説明】
【０００１】
【発明の属する技術分野】
本発明は、ミシンの天秤及び針棒の上下動等により被縫物の下方でループを形成する上糸を、回転釜が捕捉する際に、揺動しないようにする上糸揺動防止装置に関するものである。
【０００２】
【従来の技術】
従来、ミシンの天秤及び針棒の上下動等により被縫物の下でループを形成する上糸は、回転釜の剣先に掛けられ、回転釜をくぐり抜けることで下糸と交差して、縫い目を形成するものであるが、この上糸が例えば縫い針の上下動等により被縫物上方で揺動すると、被縫物下方で形成されるループもこれに伴い揺動し、回転釜の剣先に掛からず縫い目が形成されないという不都合が生じる。また、糸切れ、ヒッチステッチの発生にも影響し、こうした不都合をなくすため図７に示すように天秤から縫い針までの間の上糸１を押さえ、上糸１の揺動を防止する上糸揺動防止装置が提案されている。上糸揺動防止装置は様々の物が実用に供されており、又、多くの考案等が提案されている。
【０００３】
図７に示す物は、従来最も良く知られている方法であり以下に説明する。
【０００４】
まず、図７（ａ）に示す上糸揺動防止装置において、１００はミシン本体の天秤から縫い針までの間に固着される第１板体であり、１０１は第１板体と向かい合うように設けられる第２板体である。１０２は第２板体１０１を貫いて第１板体１００に先端を螺合するネジ体である。そして１０３は、一端をネジ体１０２に係合し、他端を第２板体１０１に当接するバネであり、第２板体１０１を第１板体１００に対し付勢している。
【０００５】
以上の構成からなる上糸揺動防止装置の各板体１００、１０１との間に図に示すよう上糸１を通せば上糸揺動防止装置はバネ１０３付勢によって上糸１を押さえるため、上糸１の揺動を防止することができる。また、上糸１への押え圧は、ネジ体１０２の進退によって調整可能である。図７（ｂ）に示す上糸揺動防止装置は、Ｕ字状をなすゴム材１０４からなり、天秤から縫い針までの間のミシン本体に固着され、図に示すように上糸１を挟むよう押さえて上糸１の揺動を防止することができる。
【０００６】
図７（ｃ）示す上糸揺動防止装置は、図に示すようにフェルト１０５にＶ溝を切り上糸１を溝内のＶ溝先端部で狭持し抵抗を与えることで上糸１の揺動を防止することができる。図７（ｄ）に示す上糸揺動防止装置は、複数個の突出ピン１０６を配置して上糸１を屈曲させて上糸１に抵抗を与えるようにして上糸１の揺動を防止することができる。
【０００７】
【発明が解決しようとする課題】
しかしながら従来の技術には次のような問題があった。図７（ａ）に示す上糸揺動防止装置は、天秤及び針棒の上下動による上糸の供給時、糸締め時のいずれにあっても上糸を押さえているために毎針ごとに相当量の上糸をしごき、被縫製物の下方でループを形成する上糸のヨリを戻してしまい、回転釜の剣先が適正に上糸を捕捉できないという不都合が生じる。即ち撚糸のヨリが戻るために上糸が二つとか三つに割れた状態となり、回転釜の剣先はこれらの割れた繊維糸の一部を捕捉して縫い目を形成したり、切断したり等の不都合を生ずることとなって上糸の種類によって微妙な調整を必要としていた。
【０００８】
図７（ｂ）、（ｃ）、に示すものは弾力性のあるゴム、フェルトを利用した無調整タイプの上糸揺動防止装置であるが（ａ）と同様に常時糸を挟んでいるので上糸のしごきによる弊害とともに、上糸との摺り合わせによる摩耗が著しく、頻繁な交換が必要となるものであった。
【０００９】
図７（ｄ）は複数個の突出ピン１０６を配置して上糸１を屈曲させて上糸１に抵抗を与えるようにしたものであるが、やはり屈曲抵抗により上糸をしごくとともに、特に、ミシンの縫製スピード変化による屈曲抵抗の変化が激しいため糸調子（上糸と下糸の縫い目のバランス）に問題があった。
【００１０】
上記の上糸揺動防止装置は上述したように、上糸の揺動を防止し上糸揺動に起因する目飛び、糸切れ、ヒッチステッチの発生頻度を減少させることができる。しかし常時上糸１に接触し糸をしごくことから新たに別要因の目飛び、糸切れ、糸ソゲ（糸が割れてその割れた糸が部分的に切断されていき、ついには糸切れに至る状態）が発生することがあった。また、糸調子においても天秤の糸締め作用時に上糸揺動防止装置の装備されているミシンの方が抵抗が大きくなり上糸調子器側から余分に上糸が供給されることになり、縫い目としては上糸の過供給状態となり特別に糸調子器の圧力設定を強くしなければならなかった。ところが一般的にミシンの糸調子器は２枚の調子皿によって上糸を狭持することで上糸に圧力を付与しているのでここでも撚糸のヨリは戻りやすくなり、糸調子器の狭持圧力を強くすることは必ずしも好ましいことではなかった。
【００１１】
本発明はこれらの問題点を解消するために、即ち天秤から縫い針までの間の上糸をしごくことなく上糸の揺動を防止し、且つ縫製時の糸調子に影響せず、簡単操作（片手操作）で糸かけでき、メンテナンスの容易な上糸揺動防止装置を提供しようとする物である。
【００１２】
本発明は、上述した問題点を一挙に解決する新規な方法である。即ち、本発明は、揺動防止装置を上糸を押圧することなく上糸の揺動を防止し得るように毛状繊維体によるスリット状の糸案内装置とし、天秤が下降して天秤から縫い針の間の上糸が緩んでも、この揺動防止装置から縫い針までの間の上糸がふらつかないようにすることで、縫い品質を向上させるとともに、縫製準備のための糸掛け時の上糸を特別な操作をすることなく容易に揺動防止装置内に進入させ得るようにすることを目的としている。
【００１３】
【００１４】
【課題を解決するための手段】
これらの目的を達成するために、本発明の請求項１記載の上糸揺動防止装置は、天秤と針棒の先端に固定される縫い針との間の上糸経路に配置され、ミシンカバーで構成される上糸掛け経路に糸掛けされる上糸が進入して通過可能な対向する二面を有するスリット状のＵ溝が形成される糸案内体と、前記Ｕ溝の対向する面の一方に着脱可能に装着される毛状繊維体であって、この毛状繊維体の毛先が前記Ｕ溝の他方の面と直交する方向に整列される毛状繊維体とを備えるものを対象として、特に、前記上糸掛け経路に上糸の糸掛け作業を行う際、前記毛状繊維体の毛先と前記Ｕ溝の他方の面との両者間に上糸が進入するか、又は糸掛け作業の仕方によって前記両者間に上糸が進入しない場合には前記天秤の上昇による上糸引き締め時に前記両者間に上糸が進入するように、前記毛状繊維体の毛先が前記Ｕ溝の他方の面に微少量接触又は微少量離間するように配設されるものである。
【００１５】
請求項２記載の上糸揺動防止装置は、前記糸案内体が前記針棒を左右移動可能に支持する針棒台又は前記針棒下端部の針抱きに設けられるものである。
【００１６】
上記の構成を有する請求項１乃至２記載の上糸揺動防止装置に於いて、オペレーターは天秤への糸掛け後、上糸の糸端を持って、針棒に固定された糸案内部あるいは針穴に導く。この時ミシンの上糸経路上に配置された糸案内体のＵ溝の対向する二面の一方に装着される毛状繊維体の毛先とＵ溝の他方の面との両者間に上糸が進入する。この毛状繊維体はＵ溝の他方の面に対し毛先が微少量接触または、微少量離間しているので毛状繊維体の毛先とＵ溝の他方の面との両者間に上糸が進入するときの抵抗は極めて僅かでありスムースに導くことが出来る。また、天秤及び針棒の上下動による上糸の供給および引き締め時に上糸に与える抵抗も極めて僅かであり、糸をしごくことはない。毛状繊維体の毛先は上糸の表面に多数存在する毛状の繊維を捕らえ、天秤の下降時に際し、上糸が余って縫い針側へだぶつくことを防止し回転釜の上糸の捕捉を適正なものとする。また、毛状繊維体の毛先はＵ溝の他方の面に直交する方向に整列されているので、上糸を毛状繊維体の毛先とＵ溝の他方の面との両者間に進入しやすくさせていると共に、縫製中の上糸のふらつき程度では毛状繊維体の毛先とＵ溝の他方の面との両者間から出ないようにしている。
【００１７】
請求項２記載の上糸揺動防止装置は、糸案内体が針棒を左右移動可能に支持する針棒台又は前記針棒下端部の針抱きに設けられるので、針棒の左右移動動作に追従して前記糸案内体も左右移動すると共に、縫い針に近接した位置であるので、前記糸案内体から縫い針までの上糸をより安定させることができる。
【００１８】
【発明の実施の形態】
以下、本発明を具体化した一実施例を図面を参照して説明する。
【００１９】
図１に示すように、ミシンの機枠２には、駆動源である電動モーター３が固定されこれにより回転駆動される上軸４と、更に駆動伝達ベルト５により回転駆動される下軸６が具備されている。上軸４の回転は詳細には説明しない天秤クランク７及び針棒クランクを介して、天秤８を揺動運動させると共に、下端に縫い針９を備えた針棒１０を上下運動させる。一方、下軸６の回転は釜ギヤ１１を介して２倍速に図示しない下糸ボビンを備えた外釜１２を回転させ、下軸６に固定された上下水平送りカム１３を介して布送り歯１４を上下水平駆動する。このように構成されたミシンにおいて、針棒１０、外釜１２、天秤８、布送り歯１４の運動は図２に示すタイミングチャートで表される所定のタイミングで作動するが通常の本縫いミシンのそれと変わりないので詳細説明は省略する。
【００２０】
次に図３を用いてミシンの上糸掛けに関し一般的な糸掛け手順を説明する。上糸１は糸立て棒２０に装着された糸駒２１から第一の糸案内２２を経て糸調子圧付与装置２３に導かれる。次に下降して第２の糸案内２４へ糸掛けされた後、Ｕターンして天秤８の糸孔２５へ通され、再び下降して針棒１０の針抱き１０ａ付近に設けられた針棒糸案内２６へ糸かけされた後、針穴９ａに通される。機枠２には、フロントカバー２７、面板２８、糸道カバー２９が機枠２を包むように固定され、ミシンの外観を形成すると共に上記上糸掛けの経路を形成している。本発明に関わる上糸揺動防止装置は天秤８の糸孔２５から針穴９ａに至る間の上糸経路上に配設されており、天秤８の上下運動の下端よりも下方の面板２８とフロントカバー２７との境目によって構成された上糸掛け経路３０（図４）の奥に位置し、機枠２に装着されている。
【００２１】
さて、本発明の上糸揺動防止装置の構成について、図４及至図６を参照して以下に詳述する。
【００２２】
糸案内体３１は、Ｌ形の板状を成しその一端でミシン機枠に固定されており、もう一端は天秤８の糸穴２５から針抱き１０ａに固着された針棒糸案内２６又は針穴９ａに至る上糸経路に対し略直交する面を有している。この面には中央付近に上糸を通過させるＵ溝３１ａが形成され、このＵ溝３１ａの開口部は上述の面板２８とフロントカバー２７との境目によって構成された上糸掛け経路３０に向かっている。また、Ｕ溝３１ａは上糸１の接触に備え磨かれている。Ｕ溝３１ａを境にして一方には毛状繊維体３３を備えたスナップホルダー３４を装着可能にする鉤状部３１ｂが形成され、もう一方はＵ溝３１ａのＡ面より延長してフロントカバー２７に近接して平行に延びる稜線３１ｃを有しており、上糸１がフロントカバー２７の奥へ進入してミシンを構成する図示しない他の部品に引っ掛かることの無いようにしている。
【００２３】
毛状繊維体３３を備えたスナップホルダー３４は樹脂成型され中央部に糸案内体３１の鉤状部３１ｂに嵌合する一辺が割れた角穴３４ａと、糸案内体３１の鉤状部３１ｂに引掛かって抜け止めとするフック部３４ｂと、毛状繊維体３３を接着する接着面３４ｃを有する。この接着面３４ｃは糸案内体３１に装着された状態で糸案内体３１のＵ溝内に配置されＵ溝３１ａのＡ面と平行となる。毛状繊維体３３は市販の弾性のある直毛で整列されたシート状のものを長方形に型抜きしたもので前記スナップホルダーの接着面３４ｃに接着されており、毛状繊維体３３の毛先は糸案内体３１のＡ面に向かって僅かに接触するか、僅かに離間するかの状態に配設されてその両者間で糸揺動防止部を形成している。スナップホルダー３４の前面部３４ｄは面板２８の前面部に対して近接して平行に延びていて上糸１が面板２８の奥に進入してミシンを構成する他の部品に引掛かることの無いようにしている。
【００２４】
以上のような上糸揺動防止装置を搭載した家庭ミシンについて説明する。
【００２５】
まず、このように構成されたミシンにおいて、所定の上糸掛け作業を行うと、面板２８とフロントカバー２７との境目によって構成された上糸掛け経路３０の奥に位置する糸案内体３１のＵ字溝３１ａの開口部からＵ字溝３１ａのＡ面と毛状繊維体３３の間へ特別な作業を追加することなくガイドされる。毛状繊維体３３の弾性のある直毛は整列され、毛先はＵ字溝３１ａのＡ面に向かって僅かに接触するか、もしくは僅かに離間するかの状態に配設されているのでＵ字溝３１ａのＡ面と毛状繊維体３３の毛先の間に導かれると共に容易にスリットである糸揺動防止部（以後、この糸揺動防止部をスリット３２と称する）へ進入することができる。即ち上糸掛けの際に、糸駒２１からの上糸経路の僅かな抵抗によって上糸１が張る状態程度で進入することができる。
【００２６】
この時オペレーターの作業の仕方によって上糸揺動防止装置内に上糸が進入できなかったとしても、ミシンを駆動すれば天秤８の上昇による上糸引き締め時に進入できるので問題ない。このような場合、即ち縫い始めの第１針目には天秤８の下降によって上糸が大きく緩みやすくなるので、糸案内体３１の稜線３１ｃとスナップホルダー３４の前面部３４ｄによって上糸１が面板２８やフロントカバー２７の奥に進入してミシンを構成する他の部品に引掛かることの無いように、また、上糸揺動防止装置自身に引掛かることの無いようにしている。
【００２７】
次に、ミシンの所定の糸掛けを行い針穴９ａに上糸１を通し、縫製を開始すると、天秤８及び針棒１０の上下動による上糸１の供給および引き締め時に上糸１も激しく上下動し、この毛状繊維体３３と糸案内体３１のＵ字溝３１ａのＡ面とからなるスリット３２を上下に出入りする。
【００２８】
この際にも、本構成によるスリット３２の上糸に与える抵抗は極めて僅かであり、上糸１をしごいて撚糸のヨリを戻すことはない。毛状繊維体３３の毛先は上糸１の表面に多数存在する毛状の繊維を捕らえ、天秤８の下降時に際し、上糸１が余ってスリット３２位置より下の縫い針９側へだぶつくことを防止することができる。従って、本実施例のように上糸掛けしやすくするための開口部２６ａを有する針棒糸案内２６に対して、縫製中にその開口部２６ａから上糸１が外れることなく、針抱き１０ａに固着された針棒糸案内２６と共働して縫い針９の針溝９ｂに上糸１をスムースに案内して外釜１２の上糸１の捕捉を適正なものとする。スリット３２内の毛状繊維体３３は対面に対し直行する方向に毛先が整列され上糸１をスリット３２内に進入しやすくさせていると共に、縫製中の上糸１のふらつき程度ではスリット３２から糸掛け経路３０方向に出ないようにしている。
【００２９】
次に本発明による上糸揺動防止装置の変形実施例を説明する。
【００３０】
図６において、その（ａ）は本発明の揺動防止装置の左側面図であり、その（ｂ）は本発明の上糸揺動防止装置を針棒最上位位置の針抱き１０ａに近接してジグザグミシンの針棒台３５に設けたミシンである。このように構成した場合においてはジグザグミシンの針棒の左右移動動作に追従してスリット３２も動作すると共に、針に近接してスリット３２を配設できるので、スリット３２から針穴９ａまでの上糸１がより安定し、針棒糸案内２６を削除することも可能である。また、図６（ｃ）に示すように上下動する針棒１０の針抱き１０ａに装着するよう変形することも可能であるので追記する。
【００３１】
【発明の効果】
以上詳述したことから明らかなように、本発明の請求項１記載の上糸揺動防止装置によれば、ミシンによる縫製に際し、毛状繊維体の毛先はＵ溝の他方の面に僅かに接触するか、もしくは僅かに離間するように配設されるので、前記毛状繊維体の毛先と前記Ｕ溝の他方の面との間のスリットを通過する上糸に僅かの抵抗を付与するだけで、上糸を押圧することはない。従って、上糸が押圧された状態でしごかれることでヨリが戻ってしまう糸ソゲの発生が防止でき、この糸ソゲに起因する目飛び、糸切れの発生を防止し、縫い品質を向上させることができる。
また、毛状繊維体の毛先は上糸の表面に多数存在する毛状の繊維を捕らえるので、天秤の下降時に際して余る上糸が、糸案内体が配置される位置より下側の縫い針側へだぶつくことを防止できる。即ち、縫製中の上糸の揺動が確実に防止できる。従って、針抱きに固着された針棒糸案内と共働して縫い針の針溝に上糸をスムースに案内し、外釜の上糸の捕捉を適正なものとするので、この上糸の揺動に起因する目飛び、糸切れ、ヒッチステッチの発生を防止でき、縫い品質を向上させることができる。
また、毛状繊維体が糸案内体に着脱可能に装着されているので、毛状繊維体にたまりやすい綿ほこり等の清掃もしくは交換が容易となる。
【００３２】
更に、毛状繊維体の毛先がＵ溝の他方の面に直交する方向に整列されているので、糸掛け時に上糸が容易にスリットに進入することができ、縫製中の上糸のふらつき程度ではスリットから出てしまうことはない。
そして、オペレーターが上糸掛け経路に上糸の糸掛け作業を行う際、糸掛け作業の仕方によって上糸がスリットに進入しない場合においても、天秤の上昇による上糸引き締め時に上糸がスリットに進入するので、上糸の揺動を確実に防止でき、縫い品質を向上させることができる。
【００３３】
本発明の請求項２記載の上糸揺動防止装置によれば、針棒の左右移動動作に追従してスリットも左右移動すると共に、縫い針に近接した位置であるので、スリットから縫い針までの上糸がより安定するので、上糸の揺動防止効果が更に高くなり、縫い品質を更に向上させることができる。
【図面の簡単な説明】
【図１】一般的なミシンの機構図である。
【図２】一般的なミシンの主要な要素のタイミングチャートである。
【図３】一般的ミシンの上糸掛けを説明する斜視図である。
【図４】本発明の上糸揺動防止装置を示す斜視図である。
【図５】本発明の上糸揺動防止装置の分解斜視図である。
【図６】本発明の変更機構例を示す側面図である。
【図７】従来の上糸揺動防止装置の機構例を示す斜視図である。
【符号の説明】
１ 上糸
２ 機枠
８ 天秤
９ 縫い針
１０ 針棒
２７ フロントカバー
２８ 面板
３１ 糸案内体
３１ａ 糸案内体のＵ字溝
３３ 毛状繊維体
３４ スナップホルダー
【図１】
0003800729.tif 000002
【図２】
0003800729.tif 000003
【図３】
0003800729.tif 000004
【図４】
0003800729.tif 000005
【図５】
0003800729.tif 000006
【図６】
0003800729.tif 000007
【図７】
0003800729.tif 000008